(57)【要約】【課題】運搬、施行が容易で、パネル間の隙間を無くして支軸を望見できないようにし、また、パネル枠を三面としてデザイン性の高い良好な外観を有するパネルフェンスを提供することを目的とする。【解決手段】断面がコ字形状を呈する側板の開口面を下方に向けて天板とし、二本の側板の開口面を上下に向けて桟とし、側板の開口面を上方に向けて底板としてパネルをスライドさせる溝を形成する。次に、側板の両端部の外側に一対の支柱パイプを取り付けると共に長手方向の一辺にパネルのストッパ片を複数取り付け、枠本体の裏面に支軸連結フックを設け、スライド溝にパネルを出し入れ自在に装着するのである。【選択図】  図７
2007100367.tif 000002
【特許請求の範囲】
【請求項１】
断面コ字型形状の側板の開口面を下方に向けて天板とし、二本の側板の開口面を上下に向けて桟とし、側板の開口面を上方に向けて底板として水平方向にスライド溝を形成し、側板の両端部外側に一対の支柱を取り付けると共に、溝の一端側に複数のストッパ片を取り付け、パネル背面側の支柱に支軸連結フックを取り付け、
スライド溝にパネルを出し入れ自在に装着したパネルフェンス。  
【発明の詳細な説明】
【技術分野】
【０００１】
本発明は、道路の路端や、建設現場、建物周辺等に設置する、パネルフェンスに関する。
【背景技術】
【０００２】
パネルフェンスは支柱とパネルが通常、上部、中間部及び下部の三箇所において連結用の金具やボルト、ナットにより連結されており多種の金具等を必要とするためコストが嵩むと共に連結作業に多大な時間を要した。
【０００３】
そこで支柱にパネルをセットしてキャップを取り付けて組立て、多種、多数の金具を不要とし、連結作業時間の短縮を図ったパネルフェンスがある。
【特許文献１】特開平１０−１８４１０７
【発明の開示】
【発明が解決しようとする課題】
【０００４】
パネルフェンスは工事現場等を道路や生活空間から遮蔽し、第三者の災害防止、防塵、防音等を目的として立設されるため、外観は軽視され、デザイン性の高いパネルフェンスはなかった。
【０００５】
又、従来のパネルフェンスは縦約８００ｍｍ、横幅１８００ｍｍのパネルを二枚、縦方向から枠へと立て込んでいたため一枚のパネルの嵩が大きく重いので運搬や取扱が不便であった。又、下のパネルを取り替えるときは上のパネルも取り外さねばならず使い勝手が悪かった。
【０００６】
図８が従来のパネルフェンスの使用状態を示す説明図である。
【０００７】
スチ−ルをネット状に張設したネットパネル４６を上段に、パネル４８の中央に鉄筋４９を溶接して補強した板状パネル４７を下段に取り付けた状態を示している。横幅１８００ｍｍの板状パネル４７は、風であおられやすく、ぱたぱたと大きな音を立てるため鉄筋による補強が施されている。ネットパネル４６の両側には支柱５０、５１に係架するためのフック５２から５５を形成し、板状パネル４７の両側にも支柱への取り付け用フック５６から５９を形成する。支柱５０、５１に取り付けたパネル係着手段６２、６３、６６、６７にまず、下段パネルとなる板状パネル４７を係架し、次に支柱５０、５１のパネル係着手段６０、６１、６４、６５に上段のネットパネルのフック５２から５５を係架してパネルを設置するのである。
【０００８】
パネルの側縁に形成したフックを支柱に係架させて設置するためパネルフェンス間に隙間が生じるだけでなく、支柱も露出した状態となり、見栄えが悪かった。又、パネルと同数の支柱が必要となり、コスト高となるうえ、施行に手間や時間がかかった。
【０００９】
そこで、本発明では、運搬、施行が容易で、パネル間の隙間を無くして支軸を望見できないようにし、また、パネル枠を三面としてデザイン性の高い良好な外観を有するパネルフェンスを提供することを目的とする。
【課題を解決するための手段】
【００１０】
断面がコ字形状を呈する側板の開口面を下方に向けて天板を形成し、二本の側板の開口面を上下に向けて桟を形成し、側板の開口面を上方に向けて底板を形成し、水平方向にパ
ネルをスライドさせる溝を複数形成する。次に、側板の両端部の外側に一対の支柱パイプを取り付けると共に長手方向の一辺にパネルのストッパ片を複数取り付け、枠本体の裏面に支軸連結フックを設けるのである。このように形成した枠本体のスライド溝にパネルを出し入れ自在に装着するのである。
【発明の効果】
【００１１】
１、三面からなる一体型枠を予め成形し、各面にデザインパネルを横方向からスライドさせて挿入するため、一枚のパネルが約６００ｍｍｘ１０００ｍｍとなり、軽量且つ嵩が低く、運搬、施工が容易である。従来のパネルは横幅が１８００ｍｍあり、横風にあおられやすく、そのため中央に補強用の鉄筋を備える必要があったが本願発明のパネルは横幅が短い上、桟に嵌め込むため補強がなくてもがたつかない。
【００１２】
また、三面のパネルを組み合わせることで、市松模様や安全十字のマ−ク等デザインのバリエ−ションが広がり、単なる遮断壁としてでなく広告宣伝効果が拡大する。
【００１３】
三枚のパネルにそれぞれの出入口があるため、どのパネルの入れ替えも他のパネルを取り外すことなく簡単に行える。
２、支軸連結フックがパネル枠の裏面にあるため、パネル枠間の隙間が全く生じず、又、支軸がパネル本体の裏面に隠れて正面からは全く望見しない。また、パネルと同数必要であった支軸の数を半分程度まで減らすことができコストダウンを図ると共に施工が楽である。
３、天板、桟及び底板に同一の側板を使用するため部材の種類が少なく、コストダウンを図ることができる。
【発明を実施するための最良の形態】
【００１４】
次に、本発明の最良の実施形態について図面を参照しながら詳細に説明する。  図１がパネルフェンス１の正面図、図２が同、左側面図、３が同、右側面図である。
【００１５】
パネルフェンス１は上下方向に長いスチ−ル製の枠体であって、左右二本ずつの角パイプからなる左右の支柱２−２、３−３と支柱２−３間に架橋する天板４、上下の桟５、６及び底板７と支柱３−３側の外側に複数個取り付けたストッパ片８と支柱２、３の上下に取り付けたフック９、１０から構成される。
【００１６】
支柱２、３に使用されるのは１０ｍｍｘ２２ｍｍ、長さ１７４０ｍｍのスチ−ル製の角パイプである。
【００１７】
また、天板、底板及び桟に使用するのは図４に示す、断面コ字状の側板１１である。側板１１は溝幅１０ｍｍ、高さ１８ｍｍ、厚さ３ｍｍ、長さ１０５５ｍｍのスチ−ル製である。
【００１８】
また、ストッパ片には３０ｍｍｘ４０ｍｍのプラスチックあるいはスチ−ル製の板片を使用する。
【００１９】
まず、二本の側板１１を開口面を上下に向けて三点で点溶接し、上桟５、下桟６を形成する。天板４は側板１１の開口面を下に向け、底板７は開口面を上に向けて配置する。天板４、上桟５、下桟６及び底板７を所要間隔を隔てて配置した後、それぞれの側板１１の両端部の外側に左右の支柱２−２、３−３をそれぞれ溶接により固着し、枠本体を形成する。
【００２０】
枠本体１の右側面にはストッパ片８を所要間隔を隔てて６箇所取り付ける。
パネルフェンスは隙間なく連結するためストッパ片８は右側面だけで足り、パネルがパネルフェンスから抜け出ることはない。
【００２１】
また、フック９、１０は予めパネルフェンス背面側の支柱２−３の上下に取り付けておく。パネルフェンス設置時に、パネルフェンスの背面に立設したパネルフェンス支持支柱とフック９、１０をクランプで連結するのである。
【００２２】
このように形成したパネルフェンス１を立設し、天板４、上桟５、下桟６及び底板７によって形成されたスライド溝にパネル（図示せず）を左方向からスライド挿入するのである。
【００２３】
パネルは合成樹脂材製または厚紙製であって、軽量、且つ、着色やデザインが自在である。
【００２４】
図６は実際にパネルフェンスを立設した状態を正面から見た説明図である。
【００２５】
前述の様に形成した枠本体１２、１３及び１４にパネル１５から２０をそれぞれスライド挿入する。このようにして形成したパネルフェンスを、枠本体の裏面に取り付けたフックにクランプを係止して、パネルフェンスの背後に予め組立てておいた縦支柱２１、２２に架橋した横支柱２３にクランプ２４、２５で固定して立設するのである。枠本体１２、１３、１４は格子状のパネル２６、２７が挿入されているタイプである。
【００２６】
このように三面のパネルから構成される一体型パネルフェンスの一部にパネルの変わりに格子状のパネルを挿入して圧迫感を与えないパネルフェンスを形成することができ、又、全体として市松模様や安全十字のマ−クを呈するフェンスを形成することも可能となり、デザインのバリエ−ションが豊富である。
【００２７】
図７は他のパネルフェンスの立設状態を背面側から見た説明図である。
【００２８】
従来は、パネル枠を一枚ずつ支持支柱に係止し、パネル枠の側面に設けたフックと縦支軸をクランプで連結して次のパネル枠と連結して施工していた。そのため、支持支柱の立設とパネル枠の係架を同時に行わなければならず、施工に手間取っていた。しかし、本願においては、まず、パネル枠の背面側に支持支柱だけを予め立設することが可能である。斜め軸３５、３６及び３７で支えた縦支軸３０、３１及び３２に横方向の支柱３３、３４をそれぞれクランプ３８から４３で連結して支持支柱を先に組立てるのである。
【００２９】
次に、前述のように形成した枠本体にパネルをそれぞれ挿入したパネルフェンス２８、２９を所望枚数横方向に連続させて、パネルフェンスの縦枠の背面に設けたフックにクランプ４４、４５を係止して横方向の支柱３３、３４に連結するのである。予め支持支柱を立設し、それにパネルフェンスを係架していくだけでパネルフェンスの立設が完了するため施工時間が大幅に短縮し、さらに、従来、パネルフェンス同士を連結していた縦支軸がパネルフェンスの裏面に完全に隠れるため、正面からは全く望見せず、また縦支軸の数も従来の半分程度まで減らすことができるのである。
【産業上の利用可能性】
【００３０】
本発明は、道路の路端、建設現場、建物周辺等に設置するパネルフェンスに利用することができ、一体型枠の三面それぞれにパネルをスライド挿入することができるため、単に、防音、防塵等の役目だけでなく、広告塔として利用することもできる。
【図面の簡単な説明】
【００３１】
【図１】パネルフェンス１の正面図。
【図２】同、左側面図。
【図３】同、右側面図。
【図４】側板の正面図。
【図５】フックの正面図。
【図６】パネルフェンスの立設状態を示す説明図。
【図７】パネルフェンスの立設状態を背面側から示す説明図。
【図８】従来のパネルフェンスの立設状態を背面側から示す説明図。
【符号の説明】
【００３２】
１、パネルフェンス    ２、左支柱    ３、右支柱    ４、天板    ５、上桟    ６、下桟    ７、底板    ８、ストッパ    ９、１０、フック    １１、側板１５、１６、１７、１８、１９、２０、パネル
【図１】
2007100367.tif 000003
【図２】
2007100367.tif 000004
【図３】
2007100367.tif 000005
【図４】
2007100367.tif 000006
【図５】
2007100367.tif 000007
【図６】
2007100367.tif 000008
【図７】
2007100367.tif 000009
【図８】
2007100367.tif 000010